(57)【要約】【課題】  面状の試験体を小さな曲げ半径により折り曲げられたり延ばされたりを繰り返すことができる変形試験器を提供する。【解決手段】試験体が取り付けられる第１取付面と、第１線分の上に存する第１取付面の縁部である第１縁部と、を有する第１取付板と、試験体が取り付けられる第２取付面と、第２線分の上に存する第２取付面の縁部である第２縁部と、を有する第２取付板と、試験体が架け渡される隙間が第１縁部と第２縁部との間に形成されるように、第１線分と第２線分とが互いに平行で相対的位置を保持しつつ、第１取付板を第２線分に対して相対的に第１線分を中心に回動可能であり、及び／又は、第２取付板を第１線分に対して相対的に第２線分を中心に回動可能であるように、第１取付板と第２取付板とを支持する支持手段と、そして第１取付板を第２線分に対して相対的に第１線分を中心に回動させ、及び／又は、第２取付板を第１線分に対して相対的に第２線分を中心に回動させる回動手段と、を備えてなる、変形試験器である。【選択図】図４
2019039743.tif 000002
【特許請求の範囲】
【請求項１】
試験体が取り付けられる第１取付面と、第１線分の上に存する第１取付面の縁部である第１縁部と、を有する第１取付板と、
試験体が取り付けられる第２取付面と、第２線分の上に存する第２取付面の縁部である第２縁部と、を有する第２取付板と、
試験体が架け渡される隙間が第１縁部と第２縁部との間に形成されるように、第１線分と第２線分とが互いに平行で相対的位置を保持しつつ、第１取付板を第２線分に対して相対的に第１線分を中心に回動可能であり、及び／又は、第２取付板を第１線分に対して相対的に第２線分を中心に回動可能であるように、第１取付板と第２取付板とを支持する支持手段と、そして
第１取付板を第２線分に対して相対的に第１線分を中心に回動させ、及び／又は、第２取付板を第１線分に対して相対的に第２線分を中心に回動させる回動手段と、を備えてなる、変形試験器。
【請求項２】
第１線分と第２線分とを含む平面に対して垂直かつ第１線分からの距離と第２線分からの距離とが等しい平面である基準面と第１取付面とがなす角度と、基準面と第２取付面とがなす角度と、が等しくなるように回動手段が第１取付板及び第２取付板を回動させるものである、請求項１に記載の変形試験器。
【請求項３】
支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有するものである、請求項１又は２に記載の変形試験器。
【請求項４】
支持手段は、第１線分の一端側の第１取付板と第２線分の一端側の第２取付板とに取り付けられる一端側の両縁部位置関係保持手段と、第１線分の他端側の第１取付板と第２線分の他端側の第２取付板とに取り付けられる他端側の両縁部位置関係保持手段と、を含んでなる、請求項３に記載の変形試験器。
【請求項５】
支持手段は、第１線分と平行な第１回動軸の周りに回動可能に第１取付板を支持すると共に、第２線分と平行な第２回動軸の周りに回動可能に第２取付板を支持し、第１回動軸と第２回動軸との間の距離が変化可能なものである取付板支持手段を有する、請求項１乃至４のいずれか１に記載の変形試験器。
【請求項６】
第１線分と第１回動軸との間の距離と、第２線分と第２回動軸との間の距離と、が等しいものである、請求項５に記載の変形試験器。
【請求項７】
第１線分と第２線分とを含む平面である縁部存在面と、第１回動軸と第２回動軸とを含む平面である回動軸存在面と、が平行又は同一平面に属するものである、請求項６に記載の変形試験器。
【請求項８】
取付板支持手段は、第１回動軸の周りに回動可能に第１取付板を支持する第１取付板支持手段と、第２回動軸の周りに回動可能に第２取付板を支持する第２取付板支持手段と、第１回動軸と第２回動軸とを含む平面である回動軸存在面において第１回動軸及び第２回動軸に垂直な方向である変位方向に関し第１取付板支持手段に対する第２取付板支持手段の相対的位置が変化可能に第１取付板支持手段及び／又は第２取付板支持手段を支持する基礎支持手段と、を含んでなる、請求項５乃至７のいずれか１に記載の変形試験器。
【請求項９】
取付板支持手段は、第１回動軸の周りに回動可能に第１取付板を支持する第１回動棒を有してなり、
回動手段は、第１回動棒を第１回動軸の周りに回動させる第１回動棒が取り付けられた回動駆動手段と、第１回動棒の回動により第２取付板を第２回動軸の周りに従動的に回動させるリンク機構と、を備えてなる、請求項５乃至８のいずれか１に記載の変形試験器。
【請求項１０】
支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有し、
前記リンク機構は、第２回動軸の周りに第２取付板が回動するように両縁部位置関係保持手段を移動させるものである、請求項９に記載の変形試験器。
【請求項１１】
第１回動軸の絶対的位置は不変であると共に、第２回動軸の絶対的位置が移動することで、第１回動軸と第２回動軸との間の距離が変化するものである、請求項９又は１０に記載の変形試験器。
【請求項１２】
第１回動軸と第２回動軸とを含む平面である回動軸存在面への第１線分の正投影と、回動軸存在面への第２線分の正投影と、が第１回動軸と第２回動軸との間に存し、
支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有し、
回動手段は、回動軸存在面に対し垂直方向に両縁部位置関係保持手段を往復動させる往復駆動手段を有するものである、請求項５乃至８のいずれか１に記載の変形試験器。
【請求項１３】
第１線分と第２線分とを含む平面に対して垂直かつ第１線分からの距離と第２線分からの距離とが等しい平面である基準面と第１回動軸との第１距離が、基準面と第２回動軸との第２距離に等しくなるように、第１回動軸及び第２回動軸のいずれも絶対的位置が変化する、請求項１２に記載の変形試験器。
【発明の詳細な説明】
【技術分野】
【０００１】
本発明は、変形試験器に関し、より詳細には、携帯電話等の基板や有機ＥＬ等のフレキシブルディスプレーに用いられる薄いガラス板や樹脂板等の試験体を変形させてその耐久度を試験する変形試験器に関する。
【背景技術】
【０００２】
以前から、携帯電話等の基板や有機ＥＬ等のフレキシブルディスプレーに用いられる薄いガラス板や樹脂板等の面状の試験体を変形させてその耐久度を試験する変形試験器が知られている（例えば、特許文献１〜特許文献５参照）。
特許文献４は、面状の試験体を繰り返し捩じり（捩回）試験を行うものである。
特許文献２及び特許文献５は、面状の試験体を繰り返し折り曲げれたり延ばしたりを繰り返す試験を行うものである。
特許文献３は、シート状の試験体をＵ字形に垂らして一方を固定し、他方を上下に動かすことで折り曲げ部分を試験体において移動させる試験を行うものである。
【０００３】
特許文献１は、「彎曲試験を機械でできるようにしたもので、これにおいて、彎曲の曲率半径や弧長が違っていても、わずかな調整で機械が作動できるようにしたもの」（特許文献１の段落番号０００５）であり、具体的には「略四角形のフレームの中に固定壁と移動壁とを対向して設け、両壁の頂上にワークを取り付ける取付部を固定壁と移動壁に対してそれぞれ鉛直面内で回動可能に設けるとともに、両取付部にワークとワークの他に板ばねのそれぞれ両端を取り付けて固定壁と移動壁との間に彎曲状態に渡し、移動壁を固定壁に対して遠近させてワークを繰り返し彎曲することを特徴とする彎曲試験機」（特許文献１の段落番号０００６）を開示している。かかる特許文献１の彎曲試験機によれば、「固定壁と移動壁に薄いガラス板や樹脂板といったワークを彎曲状態で渡し、移動壁を固定壁に対して遠近させてをワークを繰り返して彎曲するものである。このとき、ワークの彎曲の曲率半径等の形状要件を変えることがあるが、移動壁を移動させるアクチュエータによるストロークと両壁の初期位置を変えること等でそれを可能にする。また、ワークを取り付ける取付部が移動壁又は固定壁に対して鉛直面内で回動可能(相手方に向かって傾動可能なこと)にすることで内部応力を残さずにストローク変化にも対応できるようにしている。さらに、彎曲の速度も調整できなければならないが、アクチュエータの速さを変えることでそれができる。」（特許文献１の段落番号０００８）というものである。
【先行技術文献】
【特許文献】
【０００４】
【特許文献１】特開２０１６−８０６９４号公報
【特許文献２】特開２０１６−４２０４８号公報
【特許文献３】特開２０１３−１２５００２号公報
【特許文献４】特開２０１３−６４６５８号公報
【特許文献５】特開２０１３−５７５３８号公報
【発明の概要】
【発明が解決しようとする課題】
【０００５】
携帯電話等の基板や有機ＥＬ等のフレキシブルディスプレーに用いられる薄いガラス板や樹脂板等の面状体は、製品に組み込まれた際、決められた位置に存する一部が極めて小さい曲げ半径により折り曲げられたり延ばされたりを繰り返すことがある。このため、耐久試験として、面状の試験体の決められた一部のみを、小さい曲げ半径により折り曲げられたり延ばされたりを繰り返す変形試験の要求が高まっている。
こういった面状の試験体を折り曲げれたり延ばしたりを繰り返す変形試験は、特許文献１、特許文献２及び特許文献５に記載の装置で行うことができるが、これらのうち特許文献２及び特許文献５によれば、折り曲げられた試験体の部分には他の部材が挟まれることから、折り曲げ部分の試験体の曲げ半径をある程度よりも小さくすることができないという問題があった。
そして、特許文献１が開示する彎曲試験機において板ばねは、「ワーク４の両外側にはワーク４と同じ長さの板ばね１２を取付部５、６にボルト２０で止めて渡し掛けている。板バネ１２は彎曲するときに一様な曲率半径になろうとする性質があり、これにワーク４の彎曲を倣わせることができるからである。つまり、ワーク４の両外側に板ばね１２を設けることでワーク４は一様に彎曲する」（特許文献１の段落番号００１５）ために配設されたものである。この板ばね１２の彎曲半径は、ワーク４（試験体）の彎曲半径と一緒に変化するので、ワーク４（試験体）の彎曲半径を小さくするにつれて小さくなる。このためワーク４（試験体）の彎曲半径を小さくしようとすると、その彎曲半径の彎曲に板ばね１２が対応できなくなる（例えば、板ばね１２が折れる。）ために、板ばね１２の彎曲最小半径が彎曲試験における彎曲半径の下限を決定してしまう。このことは、スマートフォンや携帯電話等のような電子機器において、板ばね１２が耐えられないような小さい曲げ半径による繰り返し彎曲に試験体が耐え得るかどうかを十分試験できないという問題を生じる。
そこで、本発明では、面状の試験体を小さな曲げ半径により折り曲げられたり延ばされたりを繰り返すことができる変形試験器を提供することを目的とする。。
【課題を解決するための手段】
【０００６】
本発明の変形試験器（以下、「本試験器」という）は、試験体が取り付けられる第１取付面と、第１線分の上に存する第１取付面の縁部である第１縁部と、を有する第１取付板と、試験体が取り付けられる第２取付面と、第２線分の上に存する第２取付面の縁部である第２縁部と、を有する第２取付板と、試験体が架け渡される隙間が第１縁部と第２縁部との間に形成されるように、第１線分と第２線分とが互いに平行で相対的位置を保持しつつ、第１取付板を第２線分に対して相対的に第１線分を中心に回動可能であり、及び／又は、第２取付板を第１線分に対して相対的に第２線分を中心に回動可能であるように、第１取付板と第２取付板とを支持する支持手段と、そして第１取付板を第２線分に対して相対的に第１線分を中心に回動させ、及び／又は、第２取付板を第１線分に対して相対的に第２線分を中心に回動させる回動手段と、を備えてなる、変形試験器である。
【０００７】
本試験器は、大まかには、第１取付板と、第２取付板と、支持手段と、回動手段と、を備えてなる。
第１取付板は、第１取付面と、第１取付面の縁部である第１縁部と、を有する。第１取付面は、試験体が取り付けられる面であり、例えば、シート状、フィルム状、膜状、板状等のように主表面を有する試験体が、該主表面の一部が第１取付面に接着等によって取り付けられる。第１縁部は、第１取付面の縁部であって第１線分上に存する真っ直ぐな縁である。
第２取付板は、第２取付面と、第２取付面の縁部である第２縁部と、を有する。第２取付面は、試験体が取り付けられる面であり、例えば、シート状、フィルム状、膜状、板状等のように主表面を有する試験体が、該主表面の一部が第２取付面に接着等によって取り付けられる。第２縁部は、第２取付面の縁部であって第２線分上に存する真っ直ぐな縁である。
このような第１取付板の第１取付面と、第２取付板の第２取付面と、に試験体が取り付けられ、第１縁部と第２縁部との間に試験体が架け渡される。
【０００８】
支持手段は、（ａ）第１取付板を第２線分に対して相対的に第１線分を中心に回動可能であること、（ｂ）第２取付板を第１線分に対して相対的に第２線分を中心に回動可能であること、のうち一方又は両方が満たされるように第１取付板と第２取付板とを支持する。このとき（ａ）（ｂ）の一方又は両方の回動を生じても、試験体が架け渡される隙間が第１縁部と第２縁部との間に形成されると共に、第１線分と第２線分とが互いに平行で両線分の相対的位置が保持される。なお、第１線分と第２線分との両線分の相対的位置は、両線分間の距離や、両線分の一方に対する他方の、両線分の平行方向に関する位置（該一方を含む直線に該他方が含まれるように平行移動させた際、該一方に対する該平行移動させた他方の位置）を含む。
回動手段は、（ｃ）第１取付板を第２線分に対して相対的に第１線分を中心に回動させること、（ｄ）第２取付板を第１線分に対して相対的に第２線分を中心に回動させること、のうち一方又は両方を実行する。
【０００９】
このように第１取付面と第２取付面とに試験体が取り付けられ、第１取付面の第１縁部と第２取付面の第２縁部との間に試験体が架け渡された状態において、第１縁部を規定する第１線分と、第２縁部を規定する第２線分と、が互いに平行で相対的位置を保持したまま、第１取付板を第２線分に対して相対的に第１線分を中心に回動させ、及び／又は、第２取付板を第１線分に対して相対的に第２線分を中心に回動させることにより、意図した曲げを試験体が生じる以外の力（例えば、試験体が不意に不均一に曲がる力、試験体を引っぱる力や圧縮する力）が試験体に加わることを防止又は減少させることができる（特許文献１中の板バネ１２を用いることなく、意図した曲げを試験体が生じる以外の力が試験体に加わることを防止又は減少させる。）と共に、第１縁部と第２縁部との距離が極小（理論的には０に限りなく近づけることができる。）になるまで両縁部を容易に近接させることができるので、試験体をどのような小さな曲げ半径であっても曲げたり延ばしたりを繰り返して試験することができる。
【００１０】
本試験器においては、第１線分と第２線分とを含む平面に対して垂直かつ第１線分からの距離と第２線分からの距離とが等しい平面である基準面と第１取付面とがなす角度と、基準面と第２取付面とがなす角度と、が等しくなるように回動手段が第１取付板及び第２取付板を回動させるものであってもよい。
こうすることで、基準面と第１取付面とがなす角度と、基準面と第２取付面とがなす角度と、が等しくなるように、試験体が取り付けられた第１取付面及び第２取付面が回動（第１線分、第２線分を中心）されるので、試験体が基準面の両側で同じように曲げられ、試験体が不意に不均一に曲がることを防止又は減少させることができる。なお、基準面は、第１線分と第２線分とを含む平面に対して垂直かつ第１線分及び第２線分に平行な平面であって、第１線分からの距離と第２線分からの距離とが等しい平面である。
【００１１】
本試験器においては、支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有するもの（以下「両縁部位置関係保持手段本試験器」という。）であってもよい。
支持手段は、試験体が架け渡される隙間が第１縁部と第２縁部との間に形成されるように、第１線分と第２線分とが互いに平行で相対的位置を保持しつつ、第１取付板を第２線分に対して相対的に第１線分を中心に回動可能であり、及び／又は、第２取付板を第１線分に対して相対的に第２線分を中心に回動可能であるように、第１取付板と第２取付板とを支持するものであるが、支持手段は両縁部位置関係保持手段を有するようにしてもよい。即ち、両縁部位置関係保持手段は、第１取付板及び第２取付板が直接又は間接に取り付けられるが、第１取付板に対し第１直線（第１線分を含む）の周りに回動可能に第１取付板が直接又は間接に取り付けられると共に、第２取付板に対し第２直線（第２線分を含む）の周りに回動可能に第２取付板が直接又は間接に取り付けられる。そして、両縁部位置関係保持手段は、第１取付板に対する回動可能な軸である第１直線と、第２取付板に対する回動可能な軸である第２直線と、の間の距離を一定に保持する。かかる両縁部位置関係保持手段を支持手段が有すれば、支持手段を簡単な構成にすることができる。
【００１２】
両縁部位置関係保持手段本試験器においては、支持手段は、第１線分の一端側の第１取付板と第２線分の一端側の第２取付板とに取り付けられる一端側の両縁部位置関係保持手段と、第１線分の他端側の第１取付板と第２線分の他端側の第２取付板とに取り付けられる他端側の両縁部位置関係保持手段と、を含んでなるものであってもよい。
こうすることで、両縁部位置関係保持手段として、第１線分の一端側の第１取付板と第２線分の一端側の第２取付板とに取り付けられる一端側の両縁部位置関係保持手段と、第１線分の他端側の第１取付板と第２線分の他端側の第２取付板とに取り付けられる他端側の両縁部位置関係保持手段と、を含むので、一端側と他端側との両方において、第１縁部（第１線分）と第２縁部（第２線分）との位置関係が確実に保持される。
【００１３】
本試験器においては、支持手段は、第１線分と平行な第１回動軸の周りに回動可能に第１取付板を支持すると共に、第２線分と平行な第２回動軸の周りに回動可能に第２取付板を支持し、第１回動軸と第２回動軸との間の距離が変化可能なものである取付板支持手段を有するもの（以下「取付板支持手段本試験器」という。）であってもよい。
このような支持手段が有する取付板支持手段によって、第１線分と平行な第１回動軸の周りに第１取付板が回動可能に支持され、第２線分と平行な第２回動軸の周りに第２取付板が回動可能に支持されると共に、第１回動軸と第２回動軸との間の距離が変化可能になるので、第１線分と第２線分とが互いに平行で相対的位置を保持しつつ、第１取付板を第２線分に対して相対的に第１線分を中心に回動可能にし、第２取付板を第１線分に対して相対的に第２線分を中心に回動可能にした状態で第１取付板と第２取付板とを支持することができる。
【００１４】
取付板支持手段本試験器においては、第１線分と第１回動軸との間の距離と、第２線分と第２回動軸との間の距離と、が等しいもの（以下「等距離取付板支持手段本試験器」という。）であってもよい。
これにより、第１線分と第２線分とが互いに平行で相対的位置を保持した状態で、第１線分と第２線分とを含む平面が平行移動するように第１回動軸の周りに第１取付板を回動させると共に第２回動軸の周りに第２取付板を回動させた場合、それに伴う第１取付板の回動角と第２取付板の回動角とが同じになるので、両取付板の回動の調節が容易になり、試験体の両側（一方が第１取付板に取り付けられ、他方が第２取付板に取り付けられる。）が同じように曲げられて試験体が不均一に曲がることを防止又は減少させることができる。
【００１５】
等距離取付板支持手段本試験器においては、第１線分と第２線分とを含む平面である縁部存在面と、第１回動軸と第２回動軸とを含む平面である回動軸存在面と、が平行又は同一平面に属するものであってもよい。
第１線分と第２線分とを含む平面である縁部存在面と、第１回動軸と第２回動軸とを含む平面である回動軸存在面と、が平行又は同一平面に属し、第１取付板の第１回動軸周りの回動条件と第２取付板の第２回動軸周りの回動条件とが一致するので、試験体の両側（一方が第１取付板に取り付けられ、他方が第２取付板に取り付けられる。）が同じように曲げられ、試験体が不均一に曲がることを防止又は減少させることができる。
【００１６】
取付板支持手段本試験器においては、取付板支持手段は、第１回動軸の周りに回動可能に第１取付板を支持する第１取付板支持手段と、第２回動軸の周りに回動可能に第２取付板を支持する第２取付板支持手段と、第１回動軸と第２回動軸とを含む平面である回動軸存在面において第１回動軸及び第２回動軸に垂直な方向である変位方向に関し第１取付板支持手段に対する第２取付板支持手段の相対的位置が変化可能に第１取付板支持手段及び／又は第２取付板支持手段を支持する基礎支持手段と、を含んでなるものであってもよい。
取付板支持手段が第１取付板支持手段と第２取付板支持手段と基礎支持手段とを含むことで、第１取付板支持手段により第１取付板が第１回動軸の周りに回動可能に支持され、第２取付板支持手段により第２取付板が第２回動軸の周りに回動可能に支持され、そして基礎支持手段により所定方向に関し第１取付板支持手段に対する第２取付板支持手段の相対的位置が変化可能に第１取付板支持手段及び／又は第２取付板支持手段を支持する。ここに該所定方向は、第１回動軸と第２回動軸とを含む平面である回動軸存在面において第１回動軸及び第２回動軸に垂直な方向をいう。これによって取付板支持手段が、第１回動軸の周りに回動可能に第１取付板を支持すると共に、第２回動軸の周りに回動可能に第２取付板を支持し、第１回動軸と第２回動軸との間の距離を変化可能にすることができる。
【００１７】
取付板支持手段本試験器においては、取付板支持手段は、第１回動軸の周りに回動可能に第１取付板を支持する第１回動棒を有してなり、回動手段は、第１回動棒を第１回動軸の周りに回動させる第１回動棒が取り付けられた回動駆動手段と、第１回動棒の回動により第２取付板を第２回動軸の周りに従動的に回動させるリンク機構と、を備えてなるもの（以下「リンク機構本試験器」という。）であってもよい。
こうすることで取付板支持手段が有する第１回動棒が、第１回動軸の周りに回動可能に第１取付板を支持し、回動手段が備える回動駆動手段が、それに取り付けられた第１回動棒を第１回動軸の周りに回動させるので、第１回動軸の周りに第１取付板が回動される。そして、回動手段が備えるリンク機構が、第１回動棒の回動により第２取付板を第２回動軸の周りに従動的に回動させるので、第１回動軸の周りの第１取付板の回動と、第２回動軸の周りの第２取付板の回動と、を生じさせる別個の回動駆動手段を設ける必要がないので、別個の回動駆動手段を設ける場合に比し、回動駆動手段の個数を減少させると共に別個の回動駆動手段の動作を同期させる機構も要さないので、本試験器を簡単に構成することができる。
【００１８】
リンク機構本試験器においては、支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有し、前記リンク機構は、第２回動軸の周りに第２取付板が回動するように両縁部位置関係保持手段を移動させるものであってもよい。
両縁部位置関係保持手段は、第１取付板及び第２取付板が直接又は間接に取り付けられるが、第１取付板に対し第１直線（第１線分を含む）の周りに回動可能に第１取付板が直接又は間接に取り付けられると共に、第２取付板に対し第２直線（第２線分を含む）の周りに回動可能に第２取付板が直接又は間接に取り付けられる。そして、両縁部位置関係保持手段は、第１取付板に対する回動可能な軸である第１直線と、第２取付板に対する回動可能な軸である第２直線と、の間の距離を一定に保持する。かかる両縁部位置関係保持手段を支持手段が有すれば、支持手段を簡単に構成することができる。
そして、リンク機構は、第２回動軸の周りに第２取付板が回動するように両縁部位置関係保持手段を移動させると、両縁部位置関係保持手段が取り付けられた第１取付板の部分（第１直線上）及び第２取付板の部分（第２直線上）を移動させ（第１線分と第２線分とを含む平面が平行移動する。）、第２回動軸の周りに第２取付板を回動させることができる。
【００１９】
リンク機構本試験器においては、第１回動軸の絶対的位置は不変であると共に、第２回動軸の絶対的位置が移動することで、第１回動軸と第２回動軸との間の距離が変化するものであってもよい。
このように回動駆動手段が取り付けられた第１回動棒の回動軸である第１回動軸の絶対的位置は不変で、第２回動軸の絶対的位置を移動させて第１回動軸と第２回動軸との間の距離を変化させることにより、回動駆動手段が取り付けられた第１回動棒を移動させる必要がないので本試験器を簡単な構成にすることができる（回動駆動手段が取り付けられた第１回動棒を移動させるには、回動駆動手段と第１回動棒とを含め一体として移動させれば移動部分が大形で重くなる問題があり、回動駆動手段は移動させず第１回動棒のみを移動させるには回動駆動手段から第１回動棒への動力伝達が複雑になる問題がある。）。
【００２０】
取付板支持手段本試験器においては、第１回動軸と第２回動軸とを含む平面である回動軸存在面への第１線分の正投影と、回動軸存在面への第２線分の正投影と、が第１回動軸と第２回動軸との間に存し、支持手段は、第１線分が含まれる第１直線の周りに回動可能に第１取付板が直接又は間接に取り付けられると共に、第２線分が含まれる第２直線の周りに回動可能に第２取付板が直接又は間接に取り付けられ、第１直線と第２直線との間の距離を一定に保持する両縁部位置関係保持手段を有し、回動手段は、回動軸存在面に対し垂直方向に両縁部位置関係保持手段を往復動させる往復駆動手段を有するもの（以下「往復駆動本試験器」という。）であってもよい。
支持手段が有する両縁部位置関係保持手段は、第１取付板及び第２取付板が直接又は間接に取り付けられるが、第１取付板に対し第１直線（第１線分を含む）の周りに回動可能に第１取付板が直接又は間接に取り付けられると共に、第２取付板に対し第２直線（第２線分を含む）の周りに回動可能に第２取付板が直接又は間接に取り付けられる。そして、両縁部位置関係保持手段は、第１取付板に対する回動可能な軸である第１直線と、第２取付板に対する回動可能な軸である第２直線と、の間の距離を一定に保持する。かかる両縁部位置関係保持手段を支持手段が有すれば、支持手段を簡単に構成することができる。
そして、第１回動軸と第２回動軸とを含む平面である回動軸存在面への第１線分の正投影と、回動軸存在面への第２線分の正投影と、が回動軸存在面において第１回動軸と第２回動軸との間に存し（即ち、回動軸存在面のうち、第１回動軸を含む直線と第２回動軸を含む直線とに挟まれた領域に、第１線分の正投影と、第２線分の正投影と、が存する。）、回動手段が有する往復駆動手段が、回動軸存在面に対し垂直方向に両縁部位置関係保持手段を往復動させれば、第１回動軸の周りに第１取付板が回動すると共に第２回動軸の周りに第２取付板が回動するようにでき、両縁部位置関係保持手段を往復動させる往復駆動手段という簡単な構成により本試験器を構成できる。
【００２１】
往復駆動本試験器においては、第１線分と第２線分とを含む平面に対して垂直かつ第１線分からの距離と第２線分からの距離とが等しい平面である基準面と第１回動軸との第１距離が、基準面と第２回動軸との第２距離に等しくなるように、第１回動軸及び第２回動軸のいずれも絶対的位置が変化するものであってもよい。
第１線分と第２線分とを含む平面に対して垂直かつ第１線分及び第２線分に平行な平面であって、第１線分からの距離と第２線分からの距離とが等しい平面である基準面と第１回動軸との第１距離と、基準面と第２回動軸との第２距離と、が互いに等しくなるように、第１回動軸及び第２回動軸のいずれも絶対的位置が変化するので、試験体が基準面の両側で同じように曲げられ、試験体が不意に不均一に曲がることを防止又は減少させることができる。
【図面の簡単な説明】
【００２２】
【図１】本発明の第１実施形態に係る変形試験器（第１本試験器）を示す斜視図である。
【図２】図２（ａ）は、第１本試験器を別の方向から見た斜視図であり、図２（ｂ）は、第１本試験器の正面図である。
【図３】図３（ａ）は、第１本試験器の平面図であり、図３（ｂ）は、第１本試験器の右側面図である。
【図４】駆動部、ガイドレール、一方支持軸部、一方試験片取付部、駆動軸、他方試験片取付部及びリンク部を拡大して示す拡大斜視図である。
【図５】第１本試験器の動作を説明する拡大斜視図である。
【図６】第１本試験器の動作を説明する拡大斜視図である。
【図７】図６に示した状態の第１本試験器を示す斜視図である。
【図８】Ｘ軸に平行な方向から他方取付板、一方取付板及びそれらに取り付けられた試験片を見たところを示す図である。
【図９】本発明の第２実施形態に係る変形試験器（第２本試験器）を示す斜視図である。
【図１０】図１０（ａ）は、第２本試験器を別の方向から見た斜視図であり、図１０（ｂ）は、第２本試験器の正面図である。
【図１１】図１１（ａ）は、第２本試験器の平面図であり、図１１（ｂ）は、第２本試験器の右側面図である。
【図１２】駆動部、ガイドレール、一方支持軸部、一方試験片取付部、駆動棒、他方試験片取付部及びリンク部を拡大して示す拡大斜視図である。
【図１３】第２本試験器の動作を説明する拡大斜視図である。
【図１４】第２本試験器の動作を説明する拡大斜視図である。
【図１５】図１４に示した状態の第２本試験器を示す斜視図である。
【発明を実施するための形態】
【００２３】
以下、本発明の実施の形態を図面を参照して説明する。しかしながら、これらによって本発明は何ら制限されるものではない。
【００２４】
（第１実施形態）
図１は、本発明の第１実施形態に係る変形試験器（第１本試験器）１１を示す斜視図である。図２（ａ）は、第１本試験器１１を別の方向から見た斜視図（図１中の矢印Ａ方向から見たところを示している。）であり、図２（ｂ）は、第１本試験器１１の正面図（図２（ａ）中の矢印Ｂ方向から見たところを示している。）である。図３（ａ）は、第１本試験器１１の平面図（図２（ａ）（ｂ）中の矢印Ｃ方向から見たところを示している。）であり、図３（ｂ）は、第１本試験器１１の右側面図（図２（ａ）（ｂ）中の矢印Ｄ方向から見たところを示している。）である。図４は、後述する駆動部６１、ガイドレール３１ｂ、一方支持軸部４１、一方試験片取付部５１、駆動軸７３、他方試験片取付部８１及びリンク部９１を拡大して示す拡大斜視図である。図１乃至図４を参照して、第１本試験器１１について説明する。また、説明及び理解を容易にするため、互いに直交する３軸であるＸ軸、Ｙ軸及びＺ軸を用い（これら３軸の方向を図中にＸ、Ｙ及びＺとして示す。）、Ｚ軸に垂直な平面をＸＹ面といい、Ｘ軸に垂直な平面をＹＺ面といい、Ｙ軸に垂直な平面をＸＺ面という。なお、図１乃至図３においては試験片１０１が取り付けられた状態を図示しているが、図４においては試験片１０１が取り付けられていないところを示している。
【００２５】
第１本試験器１１は、大まかには、中空の直方体形状をなすフレーム部２１と、フレーム部２１の上面に取り付けられたガイドレール３１ａ、３１ｂと、Ｙ軸方向にスライド自在にガイドレール３１ａ、３１ｂに取り付けられた一方支持軸部４１と、一方支持軸部４１が有する一方支持軸４３に取り付けられた一方試験片取付部５１と、フレーム部２１の左側面に固定された駆動部６１と、フレーム部２１に対して回動自在に支持される駆動軸７３と、駆動軸７３に回動不可能に取り付けられた他方試験片取付部８１と、一方試験片取付部５１を回動させるリンク部９１と、を含んでなる。
【００２６】
フレーム部２１は、直方体の一面に沿った天板部２３（両主表面が長方形を略なす平板部材により形成されている。）と、該直方体の辺に沿った棒状部材により形成された８本の棒状部２５と、を有し、天板部２３がフレーム部２１の上面を形成している。フレーム部２１が形成する該直方体の辺は、Ｘ軸、Ｙ軸及びＺ軸のいずれかに平行に配置され、フレーム部２１は十分な強度を有するようここでは金属によって形成されている。
【００２７】
ガイドレール３１ａ、３１ｂは、いずれもＹ軸に平行になるようにかつ同一のＸＹ面に属するようにフレーム部２１の天板部２３の上面２３ａに固定されている。
【００２８】
一方支持軸部４１は、Ｙ軸方向にスライド自在にガイドレール３１ａに取り付けられたスライド部４５ａと、Ｙ軸方向にスライド自在にガイドレール３１ｂに取り付けられたスライド部４５ｂと、スライド部４５ａとスライド部４５ｂとに回転自在に支持された一方支持軸４３（Ｘ軸に長手方向が平行な丸棒により形成されている。）と、を有してなる。これにより一方支持軸４３は、長手方向がＸ軸に平行な状態を保ちつつ、ＸＹ面に沿ってＹ軸方向に自由に移動することができる。
【００２９】
一方試験片取付部５１は、一方支持軸４３に回動不可能に取り付けられた取付部５３ａと、取付部５３ａとは離れて一方支持軸４３に回動不可能に取り付けられた取付部５３ｂと、取付部５３ａと取付部５３ｂとに両側が取り付けられた一方取付板５５と、を有してなる。
一方取付板５５は、両主表面が同じ長方形状をなしており、該両主表面の一方である上面５５ａの４の縁部のうちの１の縁部５５ａｅ（該４の縁部のＸ軸に平行な２の縁部のもののうち、試験片１０１の折り曲げ部分に近い方の縁部）は、一方試験片取付部５１が一方支持軸４３の回動に伴って回動しても、Ｘ軸に常に平行な状態が保たれる。                           
【００３０】
駆動部６１は、フレーム部２１の左側面に固定され、駆動軸７３の基端が取り付けられている。駆動部６１は、モーター、変速機及び制御部を内部に含んでおり、所定の回動角度及び回動速度により駆動軸７３をその中心軸の周りに正逆に回動させる。なお、ここでは図示していないが、該所定の回動角度及び回動速度は可変可能にされており、これによって後述の試験片１０１の折り曲げ試験における折り曲げ角度及び折り曲げ速度を適宜変更することが可能である。
【００３１】
駆動軸７３は、丸棒により形成されており、その丸棒の中心軸がＸ軸に平行な状態でフレーム部２１に対して回動自在に支持されている。駆動軸７３を構成する該丸棒は直円柱形状をなし、該直円柱の中心軸の周りに該丸棒は回動される。
そして、前述の如く、駆動軸７３の基端が駆動部６１に取り付けられることで、駆動軸７３は、所定の回動角度及び回動速度によりその中心軸の周りに正逆に回動する。
【００３２】
他方試験片取付部８１は、駆動軸７３に回動不可能に取り付けられた取付部８３ａと、取付部８３ａとは離れて駆動軸７３に回動不可能に取り付けられた取付部８３ｂと、取付部８３ａと取付部８３ｂとに両側が取り付けられた他方取付板８５と、を有してなる。
他方取付板８５は、両主表面が同じ長方形状をなしており、該両主表面の一方である上面８５ａの４の縁部のうちの１の縁部８５ａｅ（該４の縁部のＸ軸に平行な２の縁部のもののうち、試験片１０１の折り曲げ部分に近い方の縁部）は、他方試験片取付部８１が駆動軸７３の回動に伴って回動しても、Ｘ軸に常に平行な状態が保たれる。
なお、他方試験片取付部８１の駆動軸７３の周りの所定の回動位置（図１〜図４）における上面８５ａと、一方試験片取付部５１の一方支持軸４３の周りの所定の回動位置（図１〜図４）における上面５５ａと、は、ＸＹ面に平行な一平面に属するよう位置している。
また、上面８５ａ及び上面５５ａには、シート状又はフィルム状の試験片１０１が、試験片１０１の主表面が接着されることにより取り付けられる。
【００３３】
リンク部９１は、フレーム部２１に対して回動自在に支持されたリンク軸９２（真っ直ぐな丸棒により形成され、その中心軸がＸ軸に平行に支持されている）と、リンク軸９２に一端が回動不可能に取り付けられたアングル部材９３と、アングル部材９３の他端に一端が回動可能に取り付けられると共に他端が他方取付板８５及び一方取付板５５に回動自在（他方取付板８５に対する回動中心は、縁部８５ａｅが存する直線に含まれ、一方取付板５５に対する回動中心は、縁部５５ａｅが存する直線に含まれる。）に取り付けられた連結部材９４と、リンク軸９２に一端が回動不可能に取り付けられたアングル部材９５と、アングル部材９５の他端に一端が回動可能に取り付けられると共に他端が他方取付板８５及び一方取付板５５に回動自在（他方取付板８５に対する回動中心は、縁部８５ａｅが存する直線に含まれ、一方取付板５５に対する回動中心は、縁部５５ａｅが存する直線に含まれる。）に取り付けられた連結部材９６と、を有してなる。
このように連結部材９４及び連結部材９６はいずれも、縁部８５ａｅが含まれる直線に含まれる回動軸の周りに回動自在に他方取付板８５に対して取り付けられると共に、縁部５５ａｅが含まれる直線に含まれる回動軸の周りに回動自在に一方取付板５５に対して取り付けられているので、後述のように、駆動軸７３の回動に伴って他方取付板８５が回動すると、縁部８５ａｅと縁部５５ａｅとの間の距離は一定かつ縁部８５ａｅと縁部５５ａｅとの間は平行のまま、一方取付板５５も回動する。駆動軸７３の回動に伴って他方取付板８５が回動しても、連結部材９４、９６の長手方向はＺ軸に平行に保たれ、縁部５５ａｅと縁部８５ａｅとを含む平面は常にＺ軸に対して垂直に保たれる（縁部５５ａｅと縁部８５ａｅとを含む平面は、他方取付板８５の回動によって平行移動する。なお、縁部５５ａｅと縁部８５ａｅとは、同じＸＹ面に常に属する。）。
なお、この一方取付板５５の回動に従って、一方支持軸部４１はガイドレール３１ａ、３１ｂに沿って自由にスライド移動する。
【００３４】
第１本試験器１１の動作について、図４、図５、図６及び図７を用いて説明する。図５及び図６は、既に説明した図４と同様の構成要素を図４と同様の方向から見たところを示しており、図４の状態から駆動軸７３が図中で時計回り方向に回動したところを示している。また、図７は、図６に示した状態の第１本試験器１１を、図１と同様の方向から見たところを示している。
まず、図４の状態においては、他方取付板８５の上面８５ａと一方取付板５５の上面５５ａとは、Ｚ軸に垂直な同じ一平面にほぼ属しており、上面８５ａと上面５５ａとに取り付けられた試験片１０１（図４〜図６においては図示を省略している）は平面に沿った真っ直ぐな状態になっている。
【００３５】
図４の状態から、駆動部６１によって駆動軸７３をその中心軸の周りに正方向（図４、図５及び図６において時計回り方向をいう）に回動させると、駆動軸７３に回動不可能に取り付けられた取付部８３ａ、８３ｂと共に他方取付板８５も駆動軸７３の周りに正方向に回動する。この取付部８３ａ、８３ｂ及び他方取付板８５の正方向の回動により、連結部材９４、９６はその長手方向がＺ軸に平行な状態を保ちつつ他方取付板８５によって図５のように押し下げられる。そして、この連結部材９４、９６の押し下げにより、アングル部材９３、９５が正方向に回動することで、リンク軸９２も正方向に回動する。
また、この取付部８３ａ、８３ｂ及び他方取付板８５の正方向への回動により、連結部材９４、９６の前記他端（上端）に回動自在に取り付けられた一方試験片取付部５１（取付部５３ａ、５３ｂ、一方取付板５５）は一方支持軸４３を中心に逆方向（図中において反時計回り）に回動する。その一方試験片取付部５１の一方支持軸４３の周りの回動により、一方支持軸部４１（スライド部４５ａ、４５ｂ、一方支持軸４３）はガイドレール３１ａ、３１ｂに沿ってＹ軸と平行に他方試験片取付部８１に近づくように移動する（連結部材９４、９６により、縁部８５ａｅと縁部５５ａｅとの間の距離は一定かつ縁部８５ａｅと縁部５５ａｅとの間は平行に保たれる。）。
【００３６】
このような駆動部６１による駆動軸７３の正方向への回動により、他方試験片取付部８１（取付部８３ａ、８３ｂ、他方取付板８５）の駆動軸７３周りの正方向への回動と、一方試験片取付部５１（取付部５３ａ、５３ｂ、一方取付板５５）の一方支持軸４３周りの逆方向への回動と、を生じる。この３つの回動において、縁部８５ａｅと縁部５５ａｅとの間の距離は一定に保たれると共に縁部８５ａｅと縁部５５ａｅとは平行に保たれ、さらに一方試験片取付部５１は駆動軸７３に近づく方向にＹ軸と平行に移動する。
駆動軸７３の正方向への回動は、図４の状態から図５の状態を経由して図６の状態（図６の状態では、他方取付板８５の上面８５ａと一方取付板５５の上面５５ａとが略平行になっている。）に至るまで回動する（図６の状態で該回動は停止する。）。図６の状態においては、他方取付板８５の上面８５ａと一方取付板５５の上面５５ａとに取り付けられた試験片１０１（図４〜図６においては図示を省略している）が折り畳まれた状態になる。
【００３７】
試験片１０１を折り畳んだ図６の状態から、駆動部６１によって駆動軸７３を逆方向（図６において反時計回り方向）に回動させる。これにより図５の状態を経由して図４の状態に戻る。このように、図４の状態（試験片１０１は平らな状態）から駆動軸７３を正方向へ回動させて図６の状態（試験片１０１は折り畳まれた状態）とし、その後、図６の状態から駆動軸７３を逆方向へ回動させて図４の状態に戻すことで（１サイクル）、試験片１０１は平らな状態から折り畳まれて再び平らな状態に戻るため、試験片１０１を１回折り畳む試験を行うことができる。このような駆動軸７３の正逆の回動を交互に行うことで、試験片１０１を複数折り畳む折り畳み試験を行うことができる。
このような試験片１０１の折り畳み試験（図４、図５、図６、図５、図４の順に動作する）においては、図８に示すように、縁部８５ａｅ、５５ａｅは、常に平行でありその間の距離Ｋが一定に保たれると共に、Ｚ軸に垂直な一平面に属する。また、試験片１０１の折り畳み試験において、縁部８５ａｅ、５５ａｅからの距離が等しくＹ軸に垂直な平面Ｐに対して、上面８５ａと上面５５ａとは常に面対称になっている。
【００３８】
図８は、Ｘ軸に平行な方向から他方取付板８５、一方取付板５５及びそれらに取り付けられた試験片１０１を見たところを示す図であり、図８（ａ）は図４の状態を示し、図８（ｂ）は図５の状態を示し、そして図８（ｃ）は図６の状態を示している。
図８（ａ）（ｂ）（ｃ）に示すように、上面８５ａと上面５５ａとに取り付けられた試験片１０１は、互いに平行でありかつ距離Ｋが一定の縁部８５ａｅ、５５ａｅを中心に平面Ｐに面対称に回動する２の上面８５ａ、５５ａの間で折り曲げられる。このため、縁部８５ａｅ近傍、縁部５５ａｅ近傍、そして縁部８５ａｅ、５５ａｅの間、いずれの部分の試験片１０１もほぼ同じ曲げ半径により曲げられ、試験片１０１の位置によって曲げ条件が不意に偏りにくいことから、再現性の高い試験を行うことができる。そして、距離Ｋを変更することで試験片１０１の曲げ半径を変更することができる（Ｋ／２がほぼ試験片１０１の曲げ半径となる。）。また、このような第１本試験器１１では、距離Ｋが０になるまで自由に変更できるので、試験片１０１の曲げ半径を極めて小さくすることもできるので、種々の曲げ試験に対応できる。
【００３９】
また、第１本試験器１１においては、試験片１０１が取り付けられる上面８５ａの縁部８５ａｅと、試験片１０１が取り付けられる上面５５ａの縁部５５ａｅと、が常に平行かつ距離Ｋが一定に保たれつつ、（試験片１０１から見たときに）縁部８５ａｅを中心に上面８５ａを回動させると共に（試験片１０１から見たときに）縁部５５ａｅを中心に上面５５ａを回動させることによって、非常に短い試験片１０１（縁部８５ａｅと縁部５５ａｅとにかけわたされる長さと、上面８５ａに取り付けられる長さと、上面５５ａに取り付けられる長さと、の合計長さ以上の試験片１０１であれば試験が可能である。）の試験を可能ならしめる。
加えて、第１本試験器１１においては、試験片１０１を上面５５ａと上面８５ａとに取り付けると共に試験片１０１から見たときに縁部５５ａｅ、８５ａｅを中心に縁部５５ａｅ、８５ａｅが常に平行かつ距離Ｋが一定に保たれた状態で上面５５ａ、８５ａを回動させるため、縁部８５ａｅ近傍と縁部５５ａｅ近傍との間に存する試験片１０１の部分を変形させるものの、それ以外の試験片１０１の残部（主として上面５５ａと上面８５ａとに面している部分）はほぼ変形させない。このことは、変形試験の対象とすべき部分を選択的に変形させるものであり、正確かつ高再現性の変形試験を可能ならしめる。
そして、第１本試験器１１においては、試験片１０１が取り付けられる上面５５ａと上面８５ａとが、試験片１０１の意図した曲げを生じるためのみの動きをするので、（特許文献１中の板バネ１２を要することなく）試験片１０１が意図しない変形を生じる力（例えば、試験体が不意に不均一に曲がる力、試験体を引っぱる力や圧縮する力）が試験片１０１に加わることを防止又は減少させることができる。
【００４０】
以上説明の通り、第１本試験器１１は、試験体（ここでは試験片１０１）が取り付けられる第１取付面（ここでは上面８５ａ）と、第１線分Ｓ１（図４参照。ここでは縁部８５ａｅが存する線分）の上に存する第１取付面（上面８５ａ）の縁部である第１縁部（縁部８５ａｅ）と、を有する第１取付板（ここでは他方取付板８５）と、試験体（試験片１０１）が取り付けられる第２取付面（ここでは上面５５ａ）と、第２線分Ｓ２（図４参照。ここでは縁部５５ａｅが存する線分）の上に存する第２取付面（上面５５ａ）の縁部である第２縁部（縁部５５ａｅ）と、を有する第２取付板（一方取付板５５）と、試験体（試験片１０１）が架け渡される隙間が第１縁部（縁部８５ａｅ）と第２縁部（縁部５５ａｅ）との間に形成されるように、第１線分Ｓ１と第２線分Ｓ２とが互いに平行で相対的位置を保持しつつ、第１取付板（他方取付板８５）を第２線分Ｓ２に対して相対的に第１線分Ｓ１を中心に回動可能であり、及び第２取付板（一方取付板５５）を第１線分Ｓ１に対して相対的に第２線分Ｓ２を中心に回動可能であるように、第１取付板（他方取付板８５）と第２取付板（一方取付板５５）とを支持する支持手段（ここではガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含んで構成されている。）と、そして第１取付板（他方取付板８５）を第２線分Ｓ２に対して相対的に第１線分Ｓ１を中心に回動させ、及び第２取付板（一方取付板５５）を第１線分Ｓ１に対して相対的に第２線分Ｓ２を中心に回動させる回動手段（ここでは駆動部６１、リンク軸９２、アングル部材９３、９５、連結部材９４、９６を含んで構成されている。）と、を備えてなる、変形試験器である。なお、第１本試験器１１のように、支持手段（ガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含む。）が、（ａ）第１取付板（他方取付板８５）を第２線分Ｓ２に対して相対的に第１線分Ｓ１を中心に回動可能であること、（ｂ）第２取付板（一方取付板５５）を第１線分Ｓ１に対して相対的に第２線分Ｓ２を中心に回動可能であること、の両方が満たされるように第１取付板（他方取付板８５）と第２取付板（一方取付板５５）とを支持すると共に、回動手段（駆動部６１、リンク軸９２、アングル部材９３、９５、連結部材９４、９６を含む。）が、（ｃ）第１取付板（他方取付板８５）を第２線分Ｓ２に対して相対的に第１線分Ｓ１を中心に回動させること、（ｄ）第２取付板（一方取付板５５）を第１線分Ｓ１に対して相対的に第２線分Ｓ２を中心に回動させること、の両方を実行することで、試験片１０１が、主として第１線分Ｓ１近傍と第２線分Ｓ２近傍との間で均一に曲げられるので、再現性の高い試験を行うことができる。
【００４１】
第１本試験器１１においては、第１線分Ｓ１と第２線分Ｓ２とを含む平面に対して垂直かつ第１線分Ｓ１からの距離と第２線分Ｓ２からの距離とが等しい平面である基準面（平面Ｐ）と第１取付面（上面８５ａ）とがなす角度と、基準面（平面Ｐ）と第２取付面（上面５５ａ）とがなす角度と、が等しくなるように回動手段（駆動部６１、リンク軸９２、アングル部材９３、９５、連結部材９４、９６を含む。）が第１取付板（他方取付板８５）及び第２取付板（一方取付板５５）を回動させるものである。
第１本試験器１１においては、支持手段（ガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含む。）は、第１線分Ｓ１が含まれる第１直線の周りに回動可能に第１取付板（他方取付板８５）が直接又は間接に取り付けられると共に、第２線分Ｓ２が含まれる第２直線の周りに回動可能に第２取付板（一方取付板５５）が直接又は間接に取り付けられ、第１直線と第２直線との間の距離を一定に保持する両縁部位置関係保持手段（ここでは連結部材９４、９６）を有するものである。
【００４２】
第１本試験器１１においては、支持手段（ガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含む。）は、第１線分Ｓ１の一端側の第１取付板（他方取付板８５）と第２線分Ｓ２の一端側の第２取付板（一方取付板５５）とに取り付けられる一端側の両縁部位置関係保持手段（連結部材９４）と、第１線分Ｓ１の他端側の第１取付板（他方取付板８５）と第２線分Ｓ２の他端側の第２取付板（一方取付板５５）とに取り付けられる他端側の両縁部位置関係保持手段（連結部材９６）と、を含んでなる。
第１本試験器１１においては、支持手段（ガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含む。）は、第１線分Ｓ１と平行な第１回動軸（駆動軸７３の中心軸）の周りに回動可能に第１取付板（他方取付板８５）を支持すると共に、第２線分Ｓ２と平行な第２回動軸（一方支持軸４３の中心軸）の周りに回動可能に第２取付板（一方取付板５５）を支持し、第１回動軸と第２回動軸との間の距離が変化可能なものである取付板支持手段（ガイドレール３１ａ、３１ｂ、スライド部４５ａ、４５ｂ、一方支持軸４３、取付部５３ａ、５３ｂ、駆動軸７３、取付部８３ａ、８３ｂを含んで構成される。）を有する。
第１本試験器１１においては、第１線分Ｓ１と第１回動軸（駆動軸７３の中心軸）との間の距離と、第２線分Ｓ２と第２回動軸（一方支持軸４３の中心軸）との間の距離と、が等しいものである。
第１本試験器１１においては、第１線分Ｓ１と第２線分Ｓ２とを含む平面である縁部存在面と、第１回動軸（駆動軸７３の中心軸）と第２回動軸（一方支持軸４３の中心軸）とを含む平面である回動軸存在面と、が平行又は同一平面に属するものである。
【００４３】
第１本試験器１１においては、取付板支持手段（ガイドレール３１ａ、３１ｂ、スライド部４５ａ、４５ｂ、一方支持軸４３、取付部５３ａ、５３ｂ、駆動軸７３、取付部８３ａ、８３ｂを含む。）は、第１回動軸（駆動軸７３の中心軸）の周りに回動可能に第１取付板（他方取付板８５）を支持する第１取付板支持手段（ここでは駆動軸７３、取付部８３ａ、８３ｂを含んでなる。）と、第２回動軸（一方支持軸４３の中心軸）の周りに回動可能に第２取付板（一方取付板５５）を支持する第２取付板支持手段（ここでは一方支持軸４３、取付部５３ａ、５３ｂを含んでなる。）と、第１回動軸（駆動軸７３の中心軸）と第２回動軸（一方支持軸４３の中心軸）とを含む平面である回動軸存在面において第１回動軸（駆動軸７３の中心軸）及び第２回動軸（一方支持軸４３の中心軸）に垂直な方向である変位方向（ここではＹ軸に平行な方向）に関し第１取付板支持手段（駆動軸７３、取付部８３ａ、８３ｂ）に対する第２取付板支持手段（一方支持軸４３、取付部５３ａ、５３ｂ）の相対的位置が変化可能に第２取付板支持手段を支持する基礎支持手段（ここではガイドレール３１ａ、３１ｂ、スライド部４５ａ、４５ｂ）と、を含んでなる。
【００４４】
第１本試験器１１においては、取付板支持手段（ガイドレール３１ａ、３１ｂ、スライド部４５ａ、４５ｂ、一方支持軸４３、取付部５３ａ、５３ｂ、駆動軸７３、取付部８３ａ、８３ｂを含む。）は、第１回動軸（駆動軸７３の中心軸）の周りに回動可能に第１取付板（他方取付板８５）を支持する第１回動棒（ここでは駆動軸７３）を有してなり、回動手段（駆動部６１、リンク軸９２、アングル部材９３、９５、連結部材９４、９６を含む。）は、第１回動棒（駆動軸７３）を第１回動軸（駆動軸７３の中心軸）の周りに回動させる第１回動棒（駆動軸７３）が取り付けられた回動駆動手段（ここでは駆動部６１）と、第１回動棒（駆動軸７３）の回動により第２取付板（一方取付板５５）を第２回動軸（一方支持軸４３の中心軸）の周りに従動的に回動させるリンク機構（リンク軸９２、アングル部材９３、９５、連結部材９４、９６）と、を備えてなる。
第１本試験器１１においては、支持手段（ガイドレール３１ａ、３１ｂ、スライド部４５ａ、４５ｂ、一方支持軸４３、取付部５３ａ、５３ｂ、駆動軸７３、取付部８３ａ、８３ｂ、連結部材９４、９６を含む。）は、第１線分Ｓ１が含まれる第１直線の周りに回動可能に第１取付板（他方取付板８５）が直接又は間接に取り付けられると共に、第２線分Ｓ２が含まれる第２直線の周りに回動可能に第２取付板（一方取付板５５）が直接又は間接に取り付けられ、第１直線と第２直線との間の距離を一定に保持する両縁部位置関係保持手段（連結部材９４、９６）を有し、前記リンク機構（リンク軸９２、アングル部材９３、９５、連結部材９４、９６）は、第２回動軸（一方支持軸４３の中心軸）の周りに第２取付板（一方取付板５５）が回動するように両縁部位置関係保持手段（連結部材９４、９６）を移動させるものである。
第１本試験器１１においては、第１回動軸（駆動軸７３の中心軸）の絶対的位置は不変であると共に、第２回動軸（一方支持軸４３の中心軸）の絶対的位置が移動することで、第１回動軸（駆動軸７３の中心軸）と第２回動軸（一方支持軸４３の中心軸）との間の距離が変化するものである。
【００４５】
（第２実施形態）
図９は、本発明の第２実施形態に係る変形試験器（第２本試験器）２１１を示す斜視図である。図１０（ａ）は、第２本試験器２１１を別の方向から見た斜視図（図９中の矢印Ｅ方向から見たところを示している。）であり、図１０（ｂ）は、第２本試験器２１１の正面図（図１０（ａ）中の矢印Ｆ方向から見たときの第２本試験器２１１を示している。）である。図１１（ａ）は、第２本試験器２１１の平面図（図９及び図１０（ａ）中の矢印Ｇ方向から見たところを示している。）であり、図１１（ｂ）は、第２本試験器２１１の右側面図（図１０（ａ）（ｂ）中の矢印Ｊ方向から見たところを示している。）である。図１２は、後述する駆動部２６１、ガイドレール３１ｂ、一方支持軸部４１、一方試験片取付部５１、駆動棒２７３、他方支持軸部２４１、他方試験片取付部２５１及びリンク部２９１を拡大して示す拡大斜視図である。図９乃至図１２を参照して、第２本試験器２１１について説明する。また、説明及び理解を容易にするため、互いに直交する３軸であるＸ軸、Ｙ軸及びＺ軸を用い（これら３軸の方向を図中にＸ、Ｙ及びＺとして示す。）、Ｚ軸に垂直な平面をＸＹ面といい、Ｘ軸に垂直な平面をＹＺ面といい、Ｙ軸に垂直な平面をＸＺ面という。なお、図９乃至図１１においては試験片１０１が取り付けられた状態を図示しているが、図１２においては試験片１０１を取り外したところを示している。
【００４６】
第２本試験器２１１は、大まかには、中空の直方体形状をなすフレーム部２１と、フレーム部２１の上面にＹ軸方向に沿って取り付けられたガイドレール３１ａ、３１ｂと、Ｙ軸方向にスライド自在にガイドレール３１ａ、３１ｂに取り付けられた一方支持軸部４１と、一方支持軸部４１が有する一方支持軸４３に取り付けられた一方試験片取付部５１と、Ｙ軸方向にスライド自在にガイドレール３１ａ、３１ｂに取り付けられた他方支持軸部２４１と、他方支持軸部２４１が有する他方支持軸２４３に取り付けられた他方試験片取付部２５１と、フレーム部２１の内部に固定された駆動部２６１と、一端（下端）が駆動部２６１に取り付けられＺ軸方向に往復動する駆動棒２７３と、駆動棒２７３の他端（上端）が取り付けられ一方試験片取付部５１及び他方試験片取付部２５１を回動させるリンク部２９１と、を含んでなる。
【００４７】
フレーム部２１は、直方体の一面に沿った天板部２３（両主表面が長方形を略なす平板部材により形成されており、中心には開口が形成されている。）と、該直方体の辺に沿った棒状部材により形成された８本の棒状部２５と、を有し、天板部２３がフレーム部２１の上面を形成している。フレーム部２１が形成する該直方体の辺は、Ｘ軸、Ｙ軸及びＺ軸のいずれかに平行に配置され、フレーム部２１は十分な強度を有するようここでは金属によって形成されている。
【００４８】
ガイドレール３１ａ、３１ｂは、いずれもＹ軸に平行になるようにかつＺ軸に垂直な同一のＸＹ面に属するようにフレーム部２１の天板部２３の上面２３ａに固定されている。
【００４９】
一方支持軸部４１は、Ｙ軸方向にスライド自在にガイドレール３１ａに取り付けられたスライド部４５ａと、Ｙ軸方向にスライド自在にガイドレール３１ｂに取り付けられたスライド部４５ｂと、スライド部４５ａとスライド部４５ｂとに両側が回転自在に支持された一方支持軸４３（長手方向がＸ軸に平行な丸棒により形成されている。）と、を有してなる。これにより一方支持軸４３は、長手方向がＸ軸に平行な状態を保ちつつ、ＸＹ面に沿ってＹ軸方向に自由に移動することができる。
【００５０】
一方試験片取付部５１は、一方支持軸４３に回動不可能に取り付けられた取付部５３ａと、取付部５３ａとは離れて一方支持軸４３に回動不可能に取り付けられた取付部５３ｂと、取付部５３ａと取付部５３ｂとに両側が取り付けられた一方取付板５５と、を有してなる。
一方取付板５５は、両主表面が同じ長方形状をなしており、該両主表面の一方である上面５５ａの４の縁部のうちの１の縁部５５ａｅ（該４の縁部のＸ軸に平行な２の縁部のもののうち、試験片１０１の折り曲げ部分に近い方の縁部）は、一方試験片取付部５１が一方支持軸４３の周りに回動しても、Ｘ軸に常に平行な状態が保たれる。
【００５１】
他方支持軸部２４１は、Ｙ軸方向にスライド自在にガイドレール３１ａに取り付けられたスライド部２４５ａと、Ｙ軸方向にスライド自在にガイドレール３１ｂに取り付けられたスライド部２４５ｂと、スライド部２４５ａとスライド部２４５ｂとに回転自在に支持された他方支持軸２４３（長手方向がＸ軸に平行な丸棒により形成されている。）と、を有してなる。これにより他方支持軸２４３は、長手方向がＸ軸に平行な状態を保ちつつ、ＸＹ面に沿ってＹ軸方向に自由に移動することができる。なお、他方支持軸２４３と一方支持軸４３とは、同一のＸＹ面に常に属するように配置されている。
【００５２】
他方試験片取付部２５１は、他方支持軸２４３に回動不可能に取り付けられた取付部２５３ａと、取付部２５３ａとは離れて他方支持軸２４３に回動不可能に取り付けられた取付部２５３ｂと、取付部２５３ａと取付部２５３ｂとに両側が取り付けられた他方取付板２５５と、を有してなる。
他方取付板２５５は、両主表面が同じ長方形状をなしており、該両主表面の一方である上面２５５ａの４の縁部のうちの１の縁部２５５ａｅ（該４の縁部のＸ軸に平行な２の縁部のもののうち、試験片１０１の折り曲げ部分に近い方の縁部）は、他方試験片取付部２５１が他方支持軸２４３の回動に伴って回動しても、Ｘ軸に常に平行な状態が保たれる。
【００５３】
駆動部２６１は、フレーム部２１に直接又は他の部材を介して間接に固定され、駆動棒２７３の一端（下端）が取り付けられている。駆動部２６１は、モーター、変速機、クランク機構（回転運動を往復動に変換する）及び制御部を内部に含んでおり、所定のストローク及び速度により駆動棒２７３をＺ軸に平行に往復動させる。なお、該所定のストローク及び速度は可変可能にされており、これによって後述の試験片１０１の折り曲げ試験における折り曲げ角度及び折り曲げ速度を適宜変更することが可能である。
【００５４】
駆動棒２７３は、真っ直ぐな丸棒により形成されており、その丸棒の中心軸がＺ軸に平行な状態で往復動可能に支持されている。
そして、前述の如く、駆動棒２７３の一端（下端）が駆動部２６１に取り付けられると共に、駆動棒２７３の他端（上端）がリンク部２９１に取り付けられている。
【００５５】
リンク部２９１は、他方取付板２５５及び一方取付板５５に一端（上端）近傍が回動自在（他方取付板２５５に対する回動中心は、縁部２５５ａｅが存する直線に含まれ、一方取付板５５に対する回動中心は、縁部５５ａｅが存する直線に含まれる。）に取り付けられた一対の連結部材２９６ａ、２９６ｂ（連結部材２９６ａはガイドレール３１ａ側に回動自在に取り付けられると共に、連結部材２９６ｂはガイドレール３１ｂ側に回動自在に取り付けられている。）と、連結部材２９６ａの他端（下端）と連結部材２９６ｂの他端（下端）とを連結する連結棒２９７と、を有してなる。
この一対の連結部材２９６ａ、２９６ｂいずれも、縁部２５５ａｅが存する直線を回動中心とするように他方取付板２５５に回動自在に取り付けられると共に、縁部５５ａｅが存する直線を回動中心とするように一方取付板５５に回動自在に取り付けられることで、縁部２５５ａｅと縁部５５ａｅとの距離は一定かつ縁部２５５ａｅと縁部５５ａｅとの間は平行に保たれる。リンク部２９１は、駆動棒２７３のＺ軸方向の往復動に伴いＺ軸方向に往復動するのみであり、Ｚ軸に対する方向は変化しない。
そして、連結棒２９７には、駆動棒２７３の他端（上端）が取り付けられているので、駆動部２６１により駆動棒２７３の他端（上端）がＺ軸方向に往復動することにより、縁部２５５ａｅと縁部５５ａｅとの間の距離は一定かつ縁部２５５ａｅと縁部５５ａｅとは平行のまま（なお、縁部２５５ａｅと縁部５５ａｅとは、同じＸＹ面に常に属する。）、他方取付板２５５及び一方取付板５５は正逆に回動する。このときの他方取付板２５５及び一方取付板５５の回動のいずれの状態においても、上面５５ａが含まれる平面と上面２５５ａが含まれる平面とは縁部２５５ａｅと縁部５５ａｅから等距離にあるＸＺ面に対して面対称となる。この他方取付板２５５及び一方取付板５５の回動に従って、他方支持軸部２４１及び一方支持軸部４１はガイドレール３１ａ、３１ｂに沿ってスライド移動（往復動）する。
【００５６】
第２本試験器２１１の動作について、図１２、図１３、図１４及び図１５を用いて説明する。図１３及び図１４は、既に説明した図１２と同様の構成要素を図１２と同様の方向から見たところを示しており、図１２の状態から駆動棒２７３が駆動部２６１によって図中で下方（Ｚ軸の負方向。図１２中の矢印Ｒ方向）に移動したところを示している。また、図１５は、図１４に示した状態の第２本試験器２１１を、図９と同様の方向から見たところを示している。
まず、図１２の状態においては、他方取付板２５５の上面２５５ａと一方取付板５５の上面５５ａとは、Ｚ軸に垂直な同一平面（同一のＸＹ面）にほぼ属しており、上面２５５ａと上面５５ａとに取り付けられた試験片１０１（図１２〜図１４においては図示を省略している）は該平面に沿った真っ直ぐな状態になっている。
【００５７】
図１２の状態から、駆動部２６１によって駆動棒２７３を図中で下方（図１２中の矢印Ｒ方向）に移動させると、駆動棒２７３の他端（上端）が取り付けられている連結棒２９７によって連結部材２９６ａ、２９６ｂも図中で下方に移動する。上述のように、連結部材２９６ａ、２９６ｂいずれも、縁部２５５ａｅが存する直線を回動中心とするように他方取付板２５５に回動自在に取り付けられると共に、縁部５５ａｅが存する直線を回動中心とするように一方取付板５５に回動自在に取り付けられているので、縁部２５５ａｅと縁部５５ａｅとの間の距離は一定かつ縁部２５５ａｅと縁部５５ａｅとは平行のまま、縁部２５５ａｅ及び縁部５５ａｅが図中で下方に移動するように他方取付板２５５及び一方取付板５５が回動し図１３に示す状態となる。なお、図１２から図１３に遷移する際、一方支持軸部４１はガイドレール３１ａ、３１ｂに沿ってＹ軸と平行に他方支持軸部２４１に近づくように移動すると共に、他方支持軸部２４１はガイドレール３１ａ、３１ｂに沿ってＹ軸と平行に一方支持軸部４１に近づくように移動する（一方支持軸部４１と他方支持軸部２４１とは、ガイドレール３１ａ、３１ｂに沿ってＹ軸と平行に互いに近づくように移動する。）。
【００５８】
このような駆動部２６１による駆動棒２７３の図中下方（図１２中の矢印Ｒ）への駆動により、他方試験片取付部２５１の他方支持軸２４３周りの正方向（図１２から図１３へのように時計回り）の回動と、一方試験片取付部５１の一方支持軸４３周りの逆方向（図１２から図１３へのように反時計回り）の回動と、を生じる。この２つの回動において、縁部２５５ａｅと縁部５５ａｅとの間の距離は一定に保たれると共に縁部２５５ａｅと縁部５５ａｅとは平行に保たれ、さらに一方試験片取付部５１と他方試験片取付部２５１とは互いに近づく方向にＹ軸と平行に移動する。
このような他方試験片取付部２５１の他方支持軸２４３周りの正方向の回動と、一方試験片取付部５１の一方支持軸４３周りの逆方向の回動と、は、図１２の状態から図１３の状態を経由して図１４の状態（図１４の状態では、他方取付板２５５の上面２５５ａと一方取付板５５の上面５５ａとが略平行になっている。）に至るまで回動する（図１４の状態でこれら両回動は停止する。）。図１４の状態においては、他方取付板２５５の上面２５５ａと一方取付板５５の上面５５ａとに取り付けられた試験片１０１（図１２〜図１４においては図示を省略している）が折り畳まれた状態になる。
【００５９】
試験片１０１を折り畳んだ図１４の状態から、駆動部２６１によって駆動棒２７３を図中上方（図１４中の矢印Ｑ方向）へ移動させることにより、図１３の状態を経由して図１２の状態に戻る。以上説明したように、図１２の状態（試験片１０１は平らな状態）から駆動棒２７３を図中、下方向へ移動させて図１３の状態（試験片１０１はほぼ９０度折られた状態）を経由し図１４の状態（試験片１０１は折り畳まれた状態）とし、その後、図１４の状態から駆動棒２７３を上方向へ移動させて図１３の状態を経由し図１２の状態に戻すことで、試験片１０１は平らな状態から折り畳まれて再び平らな状態に戻るため、試験片１０１を１回折り畳む試験（１サイクル）を行うことができる。即ち、駆動棒２７３を１回往復運動させることで試験片１０１を１回折り畳むことができるので、駆動棒２７３の往復運動を複数行うことで、試験片１０１を複数折り畳む試験を行うことができる。
このような試験片１０１の折り畳み試験（図１２、図１３、図１４、図１３、図１２の順に動作する）においては、第１本試験器１１において図８を用いて説明したのと同様、縁部２５５ａｅ、５５ａｅは常に平行でありその間の距離Ｋが一定に保たれると共に、Ｚ軸に垂直な一平面（ＸＹ面）に属する。また、試験片１０１の折り畳み試験において、縁部２５５ａｅ、５５ａｅからの距離が等しくＹ軸に垂直なＸＺ面である平面Ｐ（図８参照）に対して、上面２５５ａと上面５５ａとは常に面対称になるように回動する。
【００６０】
このような第２本試験器２１１の動作も、第１本試験器１１の動作の説明に用いた図８に表されるものと同様である。再び図８を参照して第２本試験器２１１の動作を説明する。図８においては、第２本試験器２１１の構成要素の参照番号を括弧内に示している。第２本試験器２１１においても図８は、Ｘ軸に平行な方向から他方取付板２５５、一方取付板５５及びそれらに取り付けられた試験片１０１を見たところを示す図であり、図８（ａ）は図１２の状態を示し、図８（ｂ）は図１３の状態を示し、そして図８（ｃ）は図１４の状態を示している。
図８（ａ）（ｂ）（ｃ）に示すように、互いに平行でありかつ距離Ｋが一定の縁部２５５ａｅ、５５ａｅを中心に平面Ｐに対して面対称に回動する２の上面２５５ａ、５５ａの間で、上面２５５ａと上面５５ａとに取り付けられた試験片１０１は折り曲げられる。このため、縁部２５５ａｅ近傍、縁部５５ａｅ近傍、そして縁部２５５ａｅ、５５ａｅの間、いずれの部分に位置する試験片１０１もほぼ同じ曲げ半径により曲げられ、試験片１０１の位置によって曲げ条件が不意に偏りにくいことから、再現性の高い試験を行うことができる。そして、距離Ｋを変更することで試験片１０１の曲げ半径を変更することができる（Ｋ／２がほぼ試験片１０１の曲げ半径となる。）。また、第１本試験器１１と同様、第２本試験器２１１では、距離Ｋが０になるまで自由に変更できるので、試験片１０１の曲げ半径を極めて小さくすることもできるので、種々の曲げ試験に対応できる。
【００６１】
また、第２本試験器２１１においては、試験片１０１が取り付けられる上面２５５ａの縁部２５５ａｅと、試験片１０１が取り付けられる上面５５ａの縁部５５ａｅと、が常に平行かつ距離Ｋが一定に保たれつつ、（試験片１０１から見たときに）縁部２５５ａｅを中心に上面２５５ａを回動させると共に、（試験片１０１から見たときに）縁部５５ａｅを中心に上面５５ａを回動させることによって、非常に短い試験片１０１（縁部２５５ａｅと縁部５５ａｅとにかけわたされる長さと、上面２５５ａに取り付けられる長さと、上面５５ａに取り付けられる長さと、の合計長さ以上の試験片１０１であれば試験が可能である。）の試験を可能ならしめる。
加えて、第２本試験器２１１においては、試験片１０１を上面５５ａと上面２５５ａとに取り付けると共に試験片１０１から見たときに縁部５５ａｅ、２５５ａｅを中心に縁部５５ａｅ、２５５ａｅが常に平行かつ距離Ｋが一定に保たれた状態で上面５５ａ、２５５ａを回動させるため、縁部２５５ａｅ近傍と縁部５５ａｅ近傍との間に存する試験片１０１の部分を変形させるものの、それ以外の試験片１０１の残部（主として上面５５ａと上面２５５ａとに面している部分）はほぼ変形させない。このことは、変形試験の対象とすべき部分を選択的に変形させるものであり、正確かつ高再現性の変形試験を可能ならしめるものである。
そして、第２本試験器２１１においては、試験片１０１が取り付けられる上面５５ａと上面２５５ａとが、試験片１０１の意図した曲げを生じるためのみの動きをするので、（特許文献１中の板バネ１２を要することなく）試験片１０１が意図しない変形を生じる力（例えば、試験体が不意に不均一に曲がる力、試験体を引っぱる力や圧縮する力）が試験片１０１に加わることを防止又は減少させることができる。
【００６２】
以上の通り、第２本試験器２１１は、試験体（ここでは試験片１０１）が取り付けられる第１取付面（ここでは上面２５５ａ）と、第１線分Ｓ１（図１２参照。ここでは縁部２５５ａｅが存する線分）の上に存する第１取付面（上面２５５ａ）の縁部である第１縁部（縁部２５５ａｅ）と、を有する第１取付板（ここでは他方取付板２５５）と、試験体（試験片１０１）が取り付けられる第２取付面（ここでは上面５５ａ）と、第２線分Ｓ２（図１２参照。ここでは縁部５５ａｅが存する線分）の上に存する第２取付面（上面５５ａ）の縁部である第２縁部（縁部５５ａｅ）と、を有する第２取付板（一方取付板５５）と、試験体（試験片１０１）が架け渡される隙間が第１縁部（縁部２５５ａｅ）と第２縁部（縁部５５ａｅ）との間に形成されるように、第１線分Ｓ１と第２線分Ｓ２とが互いに平行で相対的位置を保持しつつ、第１取付板（他方取付板２５５）を第２線分Ｓ２に対して相対的に第１線分Ｓ１を中心に回動可能であり、及び第２取付板（一方取付板５５）を第１線分Ｓ１に対して相対的に第２線分Ｓ２を中心に回動可能であるように、第１取付板（他方取付板２５５）と第２取付板（一方取付板５５）とを支持する支持手段（ここではガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含んで構成されている。）と、そして第１取付板（他方取付板２５５）を第２線分Ｓ２に対して相対的に第１線分Ｓ１を中心に回動させ、及び／又は、第２取付板（一方取付板５５）を第１線分Ｓ１に対して相対的に第２線分Ｓ２を中心に回動させる回動手段（ここでは駆動部２６１、駆動棒２７３、連結部材２９６ａ、２９６ｂ、連結棒２９７を含んで構成されている。）と、を備えてなる、変形試験器である。なお、第２本試験器２１１のように、支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含む。）が、（ａ）第１取付板（他方取付板２５５）を第２線分Ｓ２に対して相対的に第１線分Ｓ１を中心に回動可能であること、（ｂ）第２取付板（一方取付板５５）を第１線分Ｓ１に対して相対的に第２線分Ｓ２を中心に回動可能であること、の両方が満たされるように第１取付板（他方取付板２５５）と第２取付板（一方取付板５５）とを支持すると共に、回動手段（駆動部２６１、駆動棒２７３、連結部材２９６ａ、２９６ｂ、連結棒２９７を含む。）が、（ｃ）第１取付板（他方取付板２５５）を第２線分Ｓ２に対して相対的に第１線分Ｓ１を中心に回動させること、（ｄ）第２取付板（一方取付板５５）を第１線分Ｓ１に対して相対的に第２線分Ｓ２を中心に回動させること、の両方を実行することで、試験片１０１が、主として第１線分Ｓ１近傍と第２線分Ｓ２近傍との間で均一に曲げられるので、再現性の高い試験を行うことができる。
【００６３】
第２本試験器２１１においては、第１線分Ｓ１と第２線分Ｓ２とを含む平面に対して垂直かつ第１線分Ｓ１からの距離と第２線分Ｓ２からの距離とが等しい平面である基準面（平面Ｐ）と第１取付面（上面２５５ａ）とがなす角度と、基準面（平面Ｐ）と第２取付面（上面５５ａ）とがなす角度と、が等しくなるように回動手段（駆動部２６１、駆動棒２７３、連結部材２９６ａ、２９６ｂ、連結棒２９７を含む。）が第１取付板（他方取付板２５５）及び第２取付板（一方取付板５５）を回動させるものである。
第２本試験器２１１においては、支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含む。）は、第１線分Ｓ１が含まれる第１直線の周りに回動可能に第１取付板（他方取付板２５５）が直接又は間接に取り付けられると共に、第２線分Ｓ２が含まれる第２直線の周りに回動可能に第２取付板（一方取付板５５）が直接又は間接に取り付けられ、第１直線と第２直線との間の距離を一定に保持する両縁部位置関係保持手段（ここでは連結部材２９６ａ、２９６ｂ）を有するものである。
第２本試験器２１１においては、支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含む。）は、第１線分Ｓ１の一端側の第１取付板（他方取付板２５５）と第２線分Ｓ２の一端側の第２取付板（一方取付板５５）とに取り付けられる一端側の両縁部位置関係保持手段（連結部材２９６ａ）と、第１線分Ｓ１の他端側の第１取付板（他方取付板２５５）と第２線分Ｓ２の他端側の第２取付板（一方取付板５５）とに取り付けられる他端側の両縁部位置関係保持手段（連結部材２９６ｂ）と、を含んでなる。
【００６４】
第２本試験器２１１においては、支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含む。）は、第１線分Ｓ１と平行な第１回動軸（他方支持軸２４３の中心軸）の周りに回動可能に第１取付板（他方取付板２５５）を支持すると共に、第２線分Ｓ２と平行な第２回動軸（一方支持軸４３の中心軸）の周りに回動可能に第２取付板（一方取付板５５）を支持し、第１回動軸（他方支持軸２４３の中心軸）と第２回動軸（一方支持軸４３の中心軸）との間の距離が変化可能なものである取付板支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂを含む。）を有する。
第２本試験器２１１においては、第１線分Ｓ１と第１回動軸（他方支持軸２４３の中心軸）との間の距離と、第２線分Ｓ２と第２回動軸（一方支持軸４３の中心軸）との間の距離と、が等しいものである。
第２本試験器２１１においては、第１線分Ｓ１と第２線分Ｓ２とを含む平面である縁部存在面と、第１回動軸（他方支持軸２４３の中心軸）と第２回動軸（一方支持軸４３の中心軸）とを含む平面である回動軸存在面と、が平行又は同一平面に属するものである。
【００６５】
第２本試験器２１１においては、取付板支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂを含む。）は、第１回動軸（他方支持軸２４３の中心軸）の周りに回動可能に第１取付板（他方取付板２５５）を支持する第１取付板支持手段（ここでは他方支持軸２４３、取付部２５３ａ、２５３ｂを含む。）と、第２回動軸（一方支持軸４３の中心軸）の周りに回動可能に第２取付板（一方取付板５５）を支持する第２取付板支持手段（ここでは一方支持軸４３、取付部５３ａ、５３ｂを含む。）と、第１回動軸（他方支持軸２４３の中心軸）と第２回動軸（一方支持軸４３の中心軸）とを含む平面である回動軸存在面において第１回動軸（他方支持軸２４３の中心軸）及び第２回動軸（一方支持軸４３の中心軸）に垂直な方向（ここではＹ軸に平行方向）である変位方向に関し第１取付板支持手段（他方支持軸２４３、取付部２５３ａ、２５３ｂを含む。）に対する第２取付板支持手段（一方支持軸４３、取付部５３ａ、５３ｂを含む。）の相対的位置が変化可能に第１取付板支持手段（他方支持軸２４３、取付部２５３ａ、２５３ｂを含む。）及び第２取付板支持手段（一方支持軸４３、取付部５３ａ、５３ｂを含む。）を支持する基礎支持手段（ここではガイドレール３１ａ、３１ｂ、スライド部４５ａ、４５ｂ、スライド部２４５ａ、２４５ｂを含む。）と、を含んでなる。
【００６６】
第２本試験器２１１においては、第１回動軸（他方支持軸２４３の中心軸）と第２回動軸（一方支持軸４３の中心軸）とを含む平面である回動軸存在面（ここではＸＹ面に平行）への第１線分Ｓ１の正投影と、回動軸存在面への第２線分Ｓ２の正投影と、が第１回動軸（他方支持軸２４３の中心軸）と第２回動軸（一方支持軸４３の中心軸）との間に存し、支持手段（ガイドレール３１ａ、３１ｂ、スライド部４５ａ、４５ｂ、一方支持軸４３、取付部５３ａ、５３ｂ、スライド部２４５ａ、２４５ｂ、他方支持軸２４３、取付部２５３ａ、２５３ｂ、連結部材２９６ａ、２９６ｂを含む。）は、第１線分Ｓ１が含まれる第１直線の周りに回動可能に第１取付板（他方取付板２５５）が直接又は間接に取り付けられると共に、第２線分Ｓ２が含まれる第２直線の周りに回動可能に第２取付板（一方取付板５５）が直接又は間接に取り付けられ、第１直線と第２直線との間の距離を一定に保持する両縁部位置関係保持手段（連結部材２９６ａ、２９６ｂ）を有し、回動手段（駆動部２６１、駆動棒２７３、連結部材２９６ａ、２９６ｂ、連結棒２９７を含む。）は、回動軸存在面（ＸＹ面に平行）に対し垂直方向（Ｚ軸方向）に両縁部位置関係保持手段（連結部材２９６ａ、２９６ｂ）を往復動させる往復駆動手段（駆動部２６１、駆動棒２７３、連結棒２９７を含む。）を有するものである。
第２本試験器２１１においては、第１線分Ｓ１と第２線分Ｓ２とを含む平面（ＸＹ面に平行）に対して垂直かつ第１線分Ｓ１からの距離と第２線分Ｓ２からの距離とが等しい平面である基準面（平面Ｐ）と第１回動軸（他方支持軸２４３の中心軸）との第１距離が、基準面（平面Ｐ）と第２回動軸（一方支持軸４３の中心軸）との第２距離に等しくなるように、第１回動軸（他方支持軸２４３の中心軸）及び第２回動軸（一方支持軸４３の中心軸）のいずれも絶対的位置が変化する。
【符号の説明】
【００６７】
１１                第１本試験器
２１                フレーム部
２３                天板部
２３ａ              上面
２５                棒状部
３１ａ、３１ｂ      ガイドレール
４１                一方支持軸部
４３                一方支持軸
４５ａ、４５ｂ      スライド部
５１                一方試験片取付部
５３ａ、５３ｂ      取付部
５５                一方取付板
５５ａ              上面
５５ａｅ            縁部
６１                駆動部
７３                駆動軸
８１                他方試験片取付部
８３ａ、８３ｂ      取付部
８５                他方取付板
８５ａ              上面
８５ａｅ            縁部
９１                リンク部
９２                リンク軸
９３、９５          アングル部材
９４、９６          連結部材
１０１                試験片
２１１                第２本試験器
２４１                他方支持軸部
２４３                他方支持軸
２４５ａ、２４５ｂ    スライド部
２５１                他方試験片取付部
２５３ａ、２５３ｂ    取付部
２５５                他方取付板
２５５ａ              上面
２５５ａｅ            縁部
２６１                駆動部
２７３                駆動棒
２９１                リンク部
２９６ａ、２９６ｂ    連結部材
２９７                連結棒
Ｓ１                第１線分
Ｓ２                第２線分
【図１】
2019039743.tif 000003
【図２】
2019039743.tif 000004
【図３】
2019039743.tif 000005
【図４】
2019039743.tif 000006
【図５】
2019039743.tif 000007
【図６】
2019039743.tif 000008
【図７】
2019039743.tif 000009
【図８】
2019039743.tif 000010
【図９】
2019039743.tif 000011
【図１０】
2019039743.tif 000012
【図１１】
2019039743.tif 000013
【図１２】
2019039743.tif 000014
【図１３】
2019039743.tif 000015
【図１４】
2019039743.tif 000016
【図１５】
2019039743.tif 000017